(57)【要約】【課題】  著作権情報が埋め込まれた画像の利用範囲を著作権者による許諾範囲に制限すると共に、画像情報を送受信する際の通信量を低下させる。【解決手段】  任意の画像に電子透かしとして著作権情報を埋め込むように情報処理する装置Ｂであって、この画像に関して有限領域に含まれる画素の画素値を無作為に分配するフィルタをフェーズ媒体画像とするとき、この画像と著作権情報とを記憶した記憶手段Ｂ１１ａと、この記憶手段Ｂ１１ａに記憶された画像に対する利用要求を受信すると共に、この利用要求があった画像を送信する送受信手段Ｂ１１ｂと、この送受信手段Ｂ１１ｂにより送信される画像の利用形態に応じてフェーズ媒体画像を生成すると共に、このフェーズ媒体画像と著作権情報とを畳み込み操作して生成された分散透かしを画像に埋め込む制御手段Ｂ１１ｃとを備える。【選択図】        図２
2005210194.tif 000002
【特許請求の範囲】
【請求項１】
任意の画像に電子透かしとして著作権情報を埋め込むように情報処理する装置であって、
前記画像に関して有限領域に含まれる画素の画素値を無作為に分配するフィルタをフェーズ媒体画像とするとき、
前記画像と前記著作権情報とを記憶した記憶手段と、
この記憶手段に記憶された前記画像に対する利用要求を受信すると共に、当該利用要求があった前記画像を送信する送受信手段と、
この送受信手段により送信される画像の利用形態に応じて前記フェーズ媒体画像を生成すると共に、当該フェーズ媒体画像と前記著作権情報とを畳み込み操作して生成された分散透かしを前記画像に埋め込む制御手段と
を備えることを特徴とする情報処理装置。
【請求項２】
前記制御手段は、
前記画像の利用形態に応じた表色系を構成する各成分への分配比率を決定すると共に、当該分配比率で前記画素値を変換してフェーズ媒体画像を生成する
ことを特徴とする請求項１に記載の情報処理装置。
【請求項３】
前記画像の利用形態が、画像表示機能を備えたモニタによる画面表示である場合、
前記制御手段は、
ＹＣｂＣｒ表色系の輝度成分への分配比率を色差成分への分配比率より高く決定すると共に、当該分配比率で前記画素値をＹＣｂＣｒ表色系に変換し、前記画面上で前記画像を可視にするモニタ用フェーズ媒体画像を生成する
ことを特徴とする請求項２に記載の情報処理装置。
【請求項４】
前記画像の利用形態が、画像形成装置による記録媒体上への画像形成である場合、
前記制御手段は、
前記画素値を前記ＹＣｂＣｒ表色系に変換する行列に、前記画素値をＣＭＹＫ表色系に変換する行列を加算した変換行列により前記分配比率で前記画素値を変換し、前記記録媒体上で前記画像を可視にする画像形成用フェーズ媒体画像を生成する
ことを特徴とする請求項３に記載の情報処理装置。
【請求項５】
前記制御手段は、
前記モニタ用フェーズ媒体画像以外のフェーズ媒体画像から生成された分散透かしが埋め込まれた前記画像を前記画面上で不可視とし、前記画像形成用フェーズ媒体画像以外のフェーズ媒体画像から生成された分散透かしが埋め込まれた前記画像を前記記録媒体上で不可視とするように、前記分散透かしを前記画像に埋め込む
ことを特徴とする請求項４に記載の情報処理装置。
【請求項６】
前記制御手段は、前記画像の利用形態に応じた表色系に前記画素値を変換する複数のフェーズ媒体画像を、１つの変換行列から派生して系列関係にある複数の変換行列により生成する
ことを特徴とする請求項２に記載の情報処理装置。
【請求項７】
任意の画像に電子透かしとして著作権情報を埋め込むための情報処理方法であって、
前記画像に関して有限領域に含まれる画素の画素値を無作為に分配するフィルタをフェーズ媒体画像とするとき、
前記著作権情報を準備し、
この著作権情報が準備された前記画像に対する利用要求を待ち、
この利用要求があった画像の利用形態に応じて前記フェーズ媒体画像を生成し、
生成された前記フェーズ媒体画像と前記著作権情報とを畳み込み操作して分散透かしを生成し、
生成された前記分散透かしを前記画像に埋め込む
ことを特徴とする情報処理方法。
【請求項８】
前記フェーズ媒体画像を生成する際に、
前記画像の利用形態に応じた表色系に前記画素値を変換する行列を準備し、
ここに準備された変換行列による変換に関して、当該表色系の各成分への分配比率を決定し、
決定された前記分配比率で前記変換行列により前記画素値を変換してフェーズ媒体画像を生成する
ことを特徴とする請求項７に記載の情報処理方法。
【請求項９】
前記画像の利用形態が、画像表示機能を備えたモニタによる画面表示である場合、前記フェーズ媒体画像を生成するとき、
前記画素値をＹＣｂＣｒ表色系に変換する行列を準備し、
ここに準備された変換行列による変換に関して、当該ＹＣｂＣｒ表色系の輝度成分への分配比率を色差成分への分配比率より高く決定し、
決定された前記分配比率で前記変換行列により前記画素値を変換して前記画面上で前記画像を可視にするモニタ用フェーズ媒体画像を生成する
ことを特徴とする請求項８に記載の情報処理方法。
【請求項１０】
前記画像の利用形態が、画像形成装置による記録媒体上への画像形成である場合、前記フェーズ媒体画像を生成するとき、
前記分配比率が決定された前記変換行列に、前記画素値をＣＭＹＫ表色系に変換する行列を加算し、
このＣＭＹＫ表色系に変換する行列が加算された前記変換行列により前記分配比率で前記画素値を変換して前記記録媒体上で前記画像を可視にする画像形成用フェーズ媒体画像を生成する
ことを特徴とする請求項９に記載の情報処理方法。
【請求項１１】
任意の画像に電子透かしとして著作権情報を埋め込むために、
前記画像に関して有限領域に含まれる画素の画素値を無作為に分配するフィルタをフェーズ媒体画像とするとき、
前記著作権情報を準備し、
この著作権情報が準備された前記画像に対する利用要求を待ち、
この利用要求があった画像の利用形態に応じて前記フェーズ媒体画像を生成し、
生成された前記フェーズ媒体画像と前記著作権情報とを畳み込み操作して分散透かしを生成し、
生成された前記分散透かしを前記画像に埋め込む
ことを特徴とする情報処理方法をコンピュータに実行させるためのプログラム。
【請求項１２】
前記フェーズ媒体画像を生成する際に、
前記画像の利用形態に応じた表色系に前記画素値を変換する行列を準備し、
ここに準備された変換行列による変換に関して、当該表色系の各成分への分配比率を決定し、
決定された前記分配比率で前記変換行列により前記画素値を変換してフェーズ媒体画像を生成する
ことを特徴とする請求項１１に記載のプログラム。
【請求項１３】
前記画像の利用形態が、画像表示機能を備えたモニタによる画面表示である場合、前記フェーズ媒体画像を生成するとき、
前記画素値をＹＣｂＣｒ表色系に変換する行列を準備し、
ここに準備された変換行列による変換に関して、当該ＹＣｂＣｒ表色系の輝度成分への分配比率を色差成分への分配比率より高く決定し、
決定された前記分配比率で前記変換行列により前記画素値を変換して前記画面上で前記画像を可視にするモニタ用フェーズ媒体画像を生成する
ことを特徴とする請求項１２に記載のプログラム。
【請求項１４】
前記画像の利用形態が、画像形成装置による記録媒体上への画像形成である場合、前記フェーズ媒体画像を生成するとき、
前記分配比率が決定された前記変換行列に、前記画素値をＣＭＹＫ表色系に変換する行列を加算し、
このＣＭＹＫ表色系に変換する行列が加算された前記変換行列により前記分配比率で前記画素値を変換して前記記録媒体上で前記画像を可視にする画像形成用フェーズ媒体画像を生成する
ことを特徴とする請求項１３に記載のプログラム。
【請求項１５】
任意の画像に電子透かしとして著作権情報を埋め込むために、
前記画像に関して有限領域に含まれる画素の画素値を無作為に分配するフィルタをフェーズ媒体画像とするとき、
前記著作権情報を準備し、
この著作権情報が準備された前記画像に対する利用要求を待ち、
この利用要求があった画像の利用形態に応じて前記フェーズ媒体画像を生成し、
生成された前記フェーズ媒体画像と前記著作権情報とを畳み込み操作して分散透かしを生成し、
生成された前記分散透かしを前記画像に埋め込む
ことを特徴とする情報処理方法をコンピュータに実行させるためのプログラムを記録したコンピュータ読取可能な記録媒体。
【請求項１６】
前記フェーズ媒体画像を生成する際に、
前記画像の利用形態に応じた表色系に前記画素値を変換する行列を準備し、
ここに準備された変換行列による変換に関して、当該表色系の各成分への分配比率を決定し、
決定された前記分配比率で前記変換行列により前記画素値を変換してフェーズ媒体画像を生成する
ことを特徴とする請求項１５に記載の記録媒体。
【請求項１７】
前記画像の利用形態が、画像表示機能を備えたモニタによる画面表示である場合、前記フェーズ媒体画像を生成するとき、
前記画素値をＹＣｂＣｒ表色系に変換する行列を準備し、
ここに準備された変換行列による変換に関して、当該ＹＣｂＣｒ表色系の輝度成分への分配比率を色差成分への分配比率より高く決定し、
決定された前記分配比率で前記変換行列により前記画素値を変換して前記画面上で前記画像を可視にするモニタ用フェーズ媒体画像を生成する
ことを特徴とする請求項１６に記載の記録媒体。
【請求項１８】
前記画像の利用形態が、画像形成装置による記録媒体上への画像形成である場合、前記フェーズ媒体画像を生成するとき、
前記分配比率が決定された前記変換行列に、前記画素値をＣＭＹＫ表色系に変換する行列を加算し、
このＣＭＹＫ表色系に変換する行列が加算された前記変換行列により前記分配比率で前記画素値を変換して前記記録媒体上で前記画像を可視にする画像形成用フェーズ媒体画像を生成する
ことを特徴とする請求項１７に記載の記録媒体。
【発明の詳細な説明】
【技術分野】
【０００１】
本発明はデジタルデータの中に異質の情報を埋め込み秘匿する電子透かし技術等の画像処理分野に属し、本発明を応用することによってデジタルデータの権利を保護する情報処理分野にも関する。
【背景技術】
【０００２】
近年、パーソナルコンピュータの普及やネットワーク環境の整備があいまって、電子商取引が新しい商業形態として成立されつつある。インターネット等の公式公開ネットワークに接続できる端末も携帯電話や情報端末機器に代表されるように安価で便利になり各個人が所有するようになった。このため、電子商取引で取り扱う商品も多種多様になり営業範囲も広がっている。電子商取引は今後さらなる発展が期待できる。
【０００３】
電子商取引で売買される商品はデジタルデータで生成されている。静止画像、動画像、音楽、音声、各種情報及びデータ並びにプログラム等は、何れもデジタルデータが表現の仕方を変えたものである。このようなデジタルデータは、コンピュータを使えば容易にしかも完全に複写できるため、オリジナル商品と区別できないコピー商品が生成されて、市場に流通してしまう。
【０００４】
オリジナル商品が有する著作物としての著作権を如何に保護するかが課題となった。その答えのひとつとして採用されたのが電子透かし技術である。電子透かし技術は、デジタルデータにそれとは異質の情報を埋め込むことによって、デジタルデータを識別することを目的とする。デジタルコンテンツにその著作権情報を埋め込むことによって、そのオリジナル性を証明しようとする。
【０００５】
このように、電子商取引の発展にともない高度の安全性が要求される。デジタルコンテンツの著作物としての著作権を保護することは、著作者の利益を保証することのみならず電子商取引システム全体の信頼を得ることになる。デジタルコンテンツに対して主張される著作権は、著作権の有効期間、著作権の保護範囲、著作権の所有範囲等により一層複雑になる傾向がある。著作権情報を埋め込んでデジタルコンテンツのオリジナル性を証明しようとする電子透かし技術は、複雑化する著作権を正確にかつ高度に保護しなければならない。
【０００６】
著作権を保護するための技術として、入力画像に埋め込まれたコンテンツＩＤを用いてコンテンツ管理機構から出力制御情報を取得する手段を備え、取得した出力制御情報に従って、コピー権限を有しない場合には、コピー防止模様が浮かび上がる入力画像をそのまま出力し、コピー権限を有する場合には、コピー防止模様が浮かび上がらない画像情報を取得して画像を出力するコンテンツコピー機に関する技術が開示されている。
【０００７】
このコンテンツコピー機によれば、コピー防止用紙に記載された画像をコピーする場合に、正当な権限を有しないユーザに対しては、コピー防止模様が浮かび上がるように入力画像をコピー出力できると共に、正当な権限を有するユーザに対しては、コピー防止模様が浮かび上がらないように画像を出力することが可能となる。従って、著作権の保護を図りつつ高品質な画像を出力できるため、この画像の利用範囲を著作権者による許諾範囲に制限しつつ、許諾されたコピー権限に応じた品質レベルのコピー画像を出力することができるようになった（特許文献１参照）。
【０００８】
【特許文献１】特開２００２−１６７８５号公報
【発明の開示】
【発明が解決しようとする課題】
【０００９】
しかしながら、特許文献１に記載されたコンテンツコピー機では、コピー権限を有する場合には、入力画像を廃棄し、コピー防止模様が浮かび上がらない画像情報を取得して画像を出力するように構成されていたため、複数のコピー権限に応じた画像情報を夫々取得するための情報通信量が膨大であるという問題があった。
【００１０】
本発明は上記問題を解決し、著作権情報が埋め込まれた画像の利用範囲を著作権者による許諾範囲に制限することができると共に、画像情報を送受信する際の通信量を低下させることができるようにした情報処理装置、情報処理方法、その方法をコンピュータに実行させるためのプログラム及びそのプログラムを記録したコンピュータ読取可能な記録媒体を提供することを目的とする。
【課題を解決するための手段】
【００１１】
上記課題を解決するため、本発明に係る情報処理装置は、任意の画像に電子透かしとして著作権情報を埋め込むように情報処理する装置であって、この画像に関して有限領域に含まれる画素の画素値を無作為に分配するフィルタをフェーズ媒体画像とするとき、この画像と著作権情報とを記憶した記憶手段と、この記憶手段に記憶された画像に対する利用要求を受信すると共に、この利用要求があった画像を送信する送受信手段と、この送受信手段により送信される画像の利用形態に応じてフェーズ媒体画像を生成すると共に、このフェーズ媒体画像と著作権情報とを畳み込み操作して生成された分散透かしを画像に埋め込む制御手段とを備えることを特徴とする。
【００１２】
本発明に係る情報処理装置によれば、任意の画像に電子透かしとして著作権情報を埋め込む場合に、この画像と著作権情報とが記憶手段に記憶される。そして、この記憶手段に記憶された画像に対する利用要求が送受信手段により受信されると、この利用要求があった画像の利用形態に応じて制御手段によりフェーズ媒体画像が生成されると共に、このフェーズ媒体画像と著作権情報とが畳み込み操作され分散透かしが生成される。ここで生成された分散透かしは、制御手段により画像に埋め込まれ、この分散透かしが埋め込まれた画像が、送受信手段により送信される。
【００１３】
従って、電子透かしとして埋め込まれる著作権情報を利用形態に応じて可視から不可視まで制御することができるので、この著作権情報が埋め込まれた画像の利用範囲を著作権者による許諾範囲に利用形態に応じて制限することができる。また、フェーズ媒体画像の変更によって、複数の出力装置に夫々適した複数の画像を１つの原画像から生成することができるので、画像情報を送受信する際の通信量を低下させることができる。
【００１４】
本発明に係る情報処理方法は、任意の画像に電子透かしとして著作権情報を埋め込むための情報処理方法であって、この画像に関して有限領域に含まれる画素の画素値を無作為に分配するフィルタをフェーズ媒体画像とするとき、著作権情報を準備し、この著作権情報が準備された画像に対する利用要求を待ち、この利用要求があった画像の利用形態に応じてフェーズ媒体画像を生成し、ここに生成されたフェーズ媒体画像と著作権情報とを畳み込み操作して分散透かしを生成し、ここに生成された分散透かしを画像に埋め込むことを特徴とする。
【００１５】
本発明に係る情報処理方法によれば、任意の画像に電子透かしとして著作権情報を埋め込むために、この電子透かしとして埋め込まれる著作権情報を利用形態に応じて可視から不可視まで制御することができる。従って、この著作権情報が埋め込まれた画像の利用範囲を著作権者による許諾範囲に制限することができる。また、フェーズ媒体画像の変更によって、複数の出力装置に夫々適した複数の画像を１つの原画像から生成することができるので、画像情報を送受信する際の通信量を低下させることができる。
【００１６】
本発明に係る情報処理方法をコンピュータに実行させるためのプログラムは、任意の画像に電子透かしとして著作権情報を埋め込むために、この画像に関して有限領域に含まれる画素の画素値を無作為に分配するフィルタをフェーズ媒体画像とするとき、著作権情報を準備し、この著作権情報が準備された画像に対する利用要求を待ち、この利用要求があった画像の利用形態に応じてフェーズ媒体画像を生成し、ここに生成されたフェーズ媒体画像と著作権情報とを畳み込み操作して分散透かしを生成し、ここに生成された分散透かしを画像に埋め込むことを特徴とする。
【００１７】
本発明に係る情報処理方法をコンピュータに実行させるためのプログラムによれば、任意の画像に電子透かしとして著作権情報を埋め込むために、この電子透かしとして埋め込まれる著作権情報を利用形態に応じて可視から不可視まで制御することができる。従って、この著作権情報が埋め込まれた画像の利用範囲を著作権者による許諾範囲に制限することができる。また、フェーズ媒体画像の変更によって、複数の出力装置に夫々適した複数の画像を１つの原画像から生成することができるので、画像情報を送受信する際の通信量を低下させることができる。
【００１８】
本発明に係る情報処理方法をコンピュータに実行させるためのプログラムを記録したコンピュータ読取可能な記録媒体は、任意の画像に電子透かしとして著作権情報を埋め込むために、この画像に関して有限領域に含まれる画素の画素値を無作為に分配するフィルタをフェーズ媒体画像とするとき、著作権情報を準備し、この著作権情報が準備された画像に対する利用要求を待ち、この利用要求があった画像の利用形態に応じてフェーズ媒体画像を生成し、ここに生成されたフェーズ媒体画像と著作権情報とを畳み込み操作して分散透かしを生成し、ここに生成された分散透かしを画像に埋め込むことを特徴とする。
【００１９】
本発明に係る情報処理方法をコンピュータに実行させるためのプログラムを記録したコンピュータ読取可能な記録媒体によれば、任意の画像に電子透かしとして著作権情報を埋め込むために、本発明にかかるプログラムがコンピュータ読取可能な記録媒体に記録される。従って、電子透かしとして埋め込まれる著作権情報を利用形態に応じて可視から不可視まで制御することができるので、この著作権情報が埋め込まれた画像の利用範囲を著作権者による許諾範囲に制限することができる。また、フェーズ媒体画像の変更によって、複数の出力装置に夫々適した複数の画像を１つの原画像から生成することができるので、画像情報を送受信する際の通信量を低下させることができる。
【発明の効果】
【００２０】
本発明に係る情報処理装置によれば、任意の画像と著作権情報とを記憶した記憶手段を備え、ここに記憶された画像の利用形態に応じてフェーズ媒体画像を生成すると共に、このフェーズ媒体画像と著作権情報とを畳み込み操作して生成された分散透かしを画像に埋め込むものである。
【００２１】
この構成によって、電子透かしとして埋め込まれる著作権情報を利用形態に応じて可視から不可視まで制御することができるので、この著作権情報が埋め込まれた画像の利用範囲を著作権者による許諾範囲に制限することができる。即ち、この画像の利用目的及び使用権限に応じて、この画像の利用範囲を正確に規定することができる。従って、この画像の著作権を正確に保護することができる。
【００２２】
また、フェーズ媒体画像の変更によって、複数の出力装置に夫々適した複数の画像を１つの原画像から生成することができるので、画像情報を送受信する際の通信量を低下させることができる。
【００２３】
本発明に係る情報処理方法、その方法をコンピュータに実行させるためのプログラム及びそのプログラムを記録したコンピュータ読取可能な記録媒体によれば、任意の画像に電子透かしとして著作権情報を埋め込むために、この画像の利用形態に応じてフェーズ媒体画像を生成し、ここに生成されたフェーズ媒体画像と著作権情報とを畳み込み操作して分散透かしを生成し、ここに生成された分散透かしを画像に埋め込むようになされる。
【００２４】
この構成によって、電子透かしとして埋め込まれる著作権情報を利用形態に応じて可視から不可視まで制御することができるので、この著作権情報が埋め込まれた画像の利用範囲を著作権者による許諾範囲に制限することができる。即ち、この画像の利用目的及び使用権限に応じて、この画像の利用範囲を正確に規定することができる。従って、この画像の著作権を正確に保護することができる。
【００２５】
また、フェーズ媒体画像の変更によって、複数の出力装置に夫々適した複数の画像を１つの原画像から生成することができるので、画像情報を送受信する際の通信量を低下させることができる。
【発明を実施するための最良の形態】
【００２６】
以下、添付の図面を参照しながら、本発明に係る情報処理装置、情報処理方法、その方法をコンピュータに実行させるためのプログラム及びそのプログラムを記録したコンピュータ読取可能な記録媒体の実施に最良の形態について説明する。
【００２７】
本実施例としての情報処理装置は、任意の画像と著作権情報とを記憶した記憶手段を備え、ここに記憶された画像の利用形態に応じてフェーズ媒体画像を生成すると共に、このフェーズ媒体画像と著作権情報とを畳み込み操作して生成された分散透かしを画像に埋め込む。
【００２８】
これによって、電子透かしとして埋め込まれる著作権情報を利用形態に応じて可視から不可視まで制御することができるので、この著作権情報が埋め込まれた画像の利用範囲を著作権者による許諾範囲に制限することができると共に、このフェーズ媒体画像の変更によって、複数の出力装置に夫々適した複数の画像を１つの原画像から生成して、画像情報を送受信する際の通信量を低下させることができるようにしたものである。
【００２９】
図１は、本実施例としてのコンテンツ送受信システム１００の構成例を示す略式概念図であり、図２は、本発明に係る情報処理装置の実施例としての販売代理店サーバＢの構成例を示す略式概念図であり、図３は、本実施例としての利用者端末Ｅの構成例を示す略式概念図である。
【００３０】
本実施例においては、上述の販売代理店サーバＢ及び利用者端末Ｅ等がインターネットのような開放系ネットワークに接続され、所謂電子商取引によるコンテンツ利用が可能な構成となっている。本実施例では、このようなネットワーク上で利用可能なコンテンツの一形態として静止画像を例示し、この静止画像の利用範囲を著作権に基づき制限するために、本発明に係る情報処理方法を適用する。
【００３１】
コンテンツ送受信システム１００には、図１に示すように、コンテンツの著作権者により稼動される少なくとも１以上の著作権者サーバＡと、コンテンツの販売代理店により運営される少なくとも１以上の販売代理店サーバＢとが、例えば、オープン市場ネットワークＮ１に接続されて構成される。
【００３２】
コンテンツの著作権者は、コンテンツの製作者又はこの製作者からコンテンツの著作権を譲受した者であって、著作権により保護されるべきコンテンツを著作権者サーバＡから双方向通信可能な公衆通信回線網等を介して販売代理店サーバＢに送出する。
【００３３】
販売代理店は、この著作権者からの依頼及び許諾によりコンテンツの販売、保管、対価の徴収及びコンテンツの著作物としての権利の保護を主な業務目的として、販売代理店サーバＢをコンテンツ提供可能なウェブサイト管理サーバとして運営する。この販売代理店サーバＢは、著作権者サーバＡ及びオープン市場ネットワークＮ１に夫々接続される。
【００３４】
オープン市場ネットワークＮ１は、インターネットのような開放系ネットワークに接続され、電話回線等の一般通信回線網から接続可能なネットワークである。複数の販売代理店は、このようなオープン市場ネットワークＮ１を共通の市場として設けて、互いに所有するコンテンツを複数の販売代理店サーバＢ１，Ｂ２，Ｂ３により提供する。
【００３５】
オープン市場ネットワークＮ１には、更に、市場管理局により運営される市場管理局サーバＣが接続され、この市場管理局サーバＣによりオープン市場ネットワークＮ１は、保守、点検されてコンテンツ売買の市場としての信頼性および公共性が維持される。
【００３６】
また、データベース管理法人により運営される少なくとも１以上のデータベース管理サーバＤが、オープン市場ネットワークＮ１に更に接続され、このデータベース管理サーバＤにより管理された大容量記憶媒体Ｍに大量のデータを保存してデータの機密性を保ち、データを種類別に分類して効果的に管理する。
【００３７】
オープン市場ネットワークＮ１は、既存の公的なネットワーク、例えばインターネット等のネットワークに接続され、コンテンツは、このネットワークを介したオンライン上で送受信されて利用者に提供される。コンテンツを購入して利用権を取得する利用者は、オープン市場ネットワークＮ１に接続可能なネットワークＮ２に利用者端末Ｅを用いて接続し、このネットワークＮ２を介してオープン市場ネットワークＮ１に接続して参加する。
【００３８】
コンテンツ送受信システム１００に参加する構成員、著作権者Ａ、販売代理店Ｂ、市場管理局Ｃ、データベース管理法人Ｄ及び利用者Ｅのうち市場管理局Ｃを除く構成員の数に制限はない。本実施例では、５構成員の著作権者、３構成員の販売代理店、１構成員の市場管理局、３構成員のデータベース管理法人および２構成員の利用者で構成されるコンテンツ送受信システム１００について説明する。
【００３９】
著作権者は、自らがコンテンツの製作者または撮影者であったり、コンテンツの著作権を承継したり、または著作権の行使を委任された者であって、コンテンツの著作権を所有して行使する。このような著作権者は、スキャナやデジタルカメラ等の入力デバイス、または半導体メモリや光磁気ディスク等の記憶媒体（記録媒体）から画像データを入力する。著作権者は、必要に応じて、所有のアプリケーションソフトウェア等を利用して画像データを加工または編集できる。著作権者は、コンテンツの画像データをハードディスク等の個人が所有する記憶媒体に格納する。
【００４０】
販売代理店は、著作権者から承諾を得てコンテンツの販売、保管、対価の徴収及びコンテンツの著作物としての権利の保護を主な業務の目的とする。販売代理店サーバＢは、図２に示すように、ウェブサイト運営用サーバＢ１１と決済サーバＢ１２とから構成される。
【００４１】
ウェブサイト運営用サーバＢ１１（以下、ウェブサイトＢ１１と呼ぶ）は、記憶手段Ｂ１１ａ、送受信手段Ｂ１１ｂ及び制御手段Ｂ１１ｃを備えて構成され、会員登録の窓口、画像の検索、検索した画像の表示、選択された画像の注文の受付、注文された画像の送信等の業務を行う。ウェブサイトＢ１１は、オープン市場ネットワークＮ１上で注文された画像に電子透かしとして著作権情報を埋め込むように情報処理する機能を備える。
【００４２】
このウェブサイトＢ１１が備える記憶手段Ｂ１１ａは、不揮発性メモリ等の電子記録媒体及び／又はＨＤＤ（Hard Disk Drive）等の大容量磁気記録媒体からなる記憶装置である。この記憶手段Ｂ１１ａは、制御手段Ｂ１１ｃと接続され、複数の画像と、これらの画像に関する著作権情報とを記憶し、制御手段Ｂ１１ｃの制御下で、これらの画像及び著作権情報の書き込みと読み出しとを実行する。
【００４３】
送受信手段Ｂ１１ｂは、ＩＥＥＥ８０２．３規格準拠のイーサポート（Ether Port）のようなネットワークインターフェイス（ＮＩ／Ｆ：Network Interface）であって、ウェブサイトＢ１１をオープン市場ネットワークＮ１に接続する。この送受信手段Ｂ１１ｂは、制御手段Ｂ１１ｃに接続され、この制御手段Ｂ１１ｃの制御下で、記憶手段Ｂ１１ａに記憶された画像に対する利用要求をオープン市場ネットワークＮ１上で受信すると共に、この利用要求があった画像をオープン市場ネットワークＮ１を介して利用者に送信する。
【００４４】
制御手段Ｂ１１ｃは、記憶手段Ｂ１１ａ及び送受信手段Ｂ１１ｂに夫々接続され、ＣＰＵ（Central Processing Unit）、ＲＡＭ（Random Access Memory）及びＲＯＭ（Read Only Memory）を有して構成される。この制御手段Ｂ１１ｃは、ＣＰＵが、ＲＡＭをワークエリアとして使用しながらＲＯＭに格納された制御プログラムを実行することによって、記憶手段Ｂ１１ａ及び送受信手段Ｂ１１ｂの動作を制御し、送受信手段Ｂ１１ｂにより送信される画像の利用形態に応じてフェーズ媒体画像を生成すると共に、このフェーズ媒体画像と著作権情報とを畳み込み操作して生成される分散透かしを画像に埋め込む。
【００４５】
なお、ここでフェーズ媒体画像とは、後述するように、任意の画像の有限領域に含まれる画素の画素値を無作為に分配するフィルタの機能を備えた画像のことをいう。
【００４６】
決済サーバＢ１２は、利用要求があった画像等のコンテンツに対する課金処理に必要な課金情報を記憶した記憶手段Ｂ１２ａを備え、公知のコンピュータシステムにより構成される。この決済サーバＢ１２は、このようなコンテンツを購入するユーザ（利用者）に対して、ウェブサイトＢ１１を介して対価の決済を行う。
【００４７】
利用者端末Ｅは、図３に示すように、ウェブブラウザがインストールされたパーソナルコンピュータ（ＰＣ）等の本体Ｅ１１（以下、パソコンＥ１１と呼ぶ）と、画像表示機能を備えたＬＣＤ（Liquid Crystal Display）等のモニタ装置Ｅ１２と、インクジェット方式等の画像形成機能を備えたプリンタ装置Ｅ１３とを備えて構成される。モニタ装置Ｅ１２及びプリンタ装置Ｅ１３は、パソコンＥ１１に夫々接続され、パソコンＥ１１がウェブブラウザによりオープン市場ネットワークＮ１上で取得した画像を表示し、または用紙等の記録媒体上に画像形成する。
【００４８】
このようにウェブサイトＢ１１及び決済サーバＢ１２並びに利用者端末Ｅは、何れも公知のコンピュータシステムにより構築可能である。
【００４９】
オープン市場ネットワークＮ１は、複数の販売代理店が参加する共通の市場である。オープン市場ネットワークＮ１上において、それぞれの販売代理店サーバＢは所有するコンテンツ、即ち、記憶手段Ｂ１１ａに記憶（格納）した画像等を提供する。
【００５０】
コンテンツの展示、売買契約、コンテンツの送信、対価の徴収等がオープン市場ネットワークＮ１を介して行われる。参加する販売代理店は、特定の免許を必要とする。この免許は、公的機関が交付する場合と特定の組織団体が交付する場合とがある。オープン市場ネットワークＮ１に参加を希望する販売代理店は、所定の審査を受けて免許を取得した後に正式な参加が認められる。オープン市場ネットワークＮ１を構成する販売代理店は一つでもよい。
【００５１】
市場管理局は、その市場管理局サーバＣによりオープン市場ネットワークＮ１を保守、点検して、コンテンツ売買の市場としての信頼性および公共性を維持する。市場管理局は、公的機関が運営する場合と特定の組織団体が運営する場合がある。
【００５２】
市場管理局は、オープン市場ネットワークＮ１に参加を希望する販売代理店を審査して、資格ありと認められる販売代理店には免許を交付する。免許を得た販売代理店により運営されるウェブサイトＢ１１だけが当オープン市場ネットワークＮ１で営業することができる。
【００５３】
免許制を採用するオープン市場ネットワークＮ１の特性上、オープン市場ネットワークＮ１における営業は寡占状態になりやすい。自由経済におけるコンテンツの正当な市場価値を定め、維持するためには第三者機関による監視が必要である。市場管理局は、予め定められ抽出されたコンテンツの価格を常時あるいは定期的に追跡することによって平均的な価格変動を調査する。また、調査に値すると考えられる特定銘柄のコンテンツについても随時調査する。調査の結果、異常な価格設定であると判断された場合には、そのコンテンツを取り扱う販売代理店に対して是正を勧告する。価格設定に違法性が発覚すれば、法的処置をとる場合も有り得る。販売代理店に対する直接的な監視も行われる。
【００５４】
販売代理店は、市場管理局に定期的な財務調査の報告が義務づけられる。オープン市場ネットワークＮ１に参加するためには常に健全な経営状態であることが求められる。オープン市場ネットワークＮ１は既存の公的なネットワーク、例えばインターネット等のネットワークに接続されている。オープン市場ネットワークＮ１は、ソフトウェアウイルス等の外的攻撃や、改竄、加工および複写等の作為的操作からコンテンツを保護しなければならない。
【００５５】
市場管理局は、ソフトウェアウイルスのオープン市場ネットワークＮ１への進入を監視する。進入された場合には、販売代理店に対して注意を喚起する。影響を調査して被害状況を把握する。ソフトウェアウイルスを駆除してオープン市場ネットワークＮ１を正常な状態に復帰させる。
【００５６】
データベース管理法人は、そのデータベース管理用サーバＤに接続された大容量記憶媒体Ｍを常備し、この記憶媒体Ｍに大量のデータを保存してデータの機密性を保ち、データベース管理用サーバＤによりデータを種類別に分類して効果的に管理する。
【００５７】
利用者は、コンテンツを購入して利用権を取得する。利用者は、上述したように、ウェブブラウザをインストールしたパソコンＥ１１、モニタ装置Ｅ１２およびプリント装置Ｅ１３から構成される利用者端末Ｅを、図示しない通信手段によりオープン市場ネットワークＮ１に接続し、これによって販売代理店サーバＢからコンテンツを購入する。
【００５８】
ウェブブラウザは、会員登録の窓口、画像の検索、検索した画像の表示、選択した画像の注文の発行、注文した画像の受信等を行う。利用者は、モニタ装置Ｅ１２の画面上に可視的なコンテンツを再現させることができる。利用者は、所有するプリント装置で可視的なコンテンツを用紙上等に再現させることができる。
【００５９】
このように構成されたコンテンツ送受信システムにおいて、利用者端末ＥからネットワークＮ２を介して販売代理店サーバＢに、その記憶手段Ｂ１１ａに記憶された画像の利用要求を送信すると、この画像に対する利用要求が送受信手段Ｂ１１ｂにより受信され、制御手段Ｂ１１ｃに送出される。制御手段Ｂ１１ｃは、この利用要求に基づく利用形態に応じてフェーズ媒体画像の生成を開始する。
【００６０】
ここにフェーズ媒体とは、色空間変換座標の演算子と、成分分配比率の演算子とによる積和演算子であって、カラーデジタルデータを色空間座標変換し、人間の視覚感度に多大の影響を与える画像成分に重み関数を付加したものをいう。このフェーズ媒体に関して、少ない変数を操作することによって透かしの挿入強度を変化させることができる（公知例：ＵＳＰ第５８５９９２０号参照）。
【００６１】
また、フェーズ媒体画像とは、上述したように、画像の有限領域内の媒体相に含まれる画素の画素値を無作為に分配したフィルタであって、画素値を対象とした演算子である。制御手段Ｂ１１ｃは、画像の利用形態に応じた表色系を構成する各成分への分配比率を決定し、この分配比率で画素値を変換することによって、フェーズ媒体画像を生成する。
【００６２】
画素値が、例えば、レッド成分（Ｒ）、グリーン成分（Ｇ）及びブルー成分（Ｂ）から構成されるＲＧＢ表色系で表されている場合であって、画像の利用形態が、画像表示機能を備えたモニタ装置Ｅ１２による画面表示であるとき、制御手段Ｂ１１ｃは、画素値をＹＣｂＣｒ表色系に変換するために、このＹＣｂＣｒ表色系の輝度成分Ｙへの分配比率を色差成分Ｃｂ，Ｃｒへの分配比率より高く決定すると共に、この分配比率で画素値をＹＣｂＣｒ表色系に変換し、モニタ装置Ｅ１２の画面上で画像を可視にするモニタ用フェーズ媒体画像を生成する。
【００６３】
ここで、モニタ用フェーズ媒体画像（演算子）に関して、ＲＧＢ表色系の各色成分を［Ｒ  Ｇ  Ｂ］Tと表示し、ＹＣｂＣｒ表色系の各成分を［Ｙ’  Ｃｂ  Ｃｒ］Tと表示する。Ｙ’は輝度成分であり、Ｃｂ及びＣｒは色差成分である。
【００６４】
この例では、輝度成分Ｙ’と色差成分Ｃｂ、Ｃｒとの分配比率をＫとしたとき、次式において、この分配比率Ｋを変えることによって電子透かしの挿入強度を可変するようになされる。
【００６５】
【数１】
2005210194.tif 000003
【００６６】
但し、重み係数をｍ11〜ｍ13、ｍ21〜ｍ23、ｍ31〜ｍ33とすると、マトリクス変換係数Ｔは、
Ｔ＝｛ｍ11（ｍ22−ｍ23）＋ｍ21（ｍ13−ｍ12）｝／（ｍ13・ｍ22−ｍ12・ｍ23）であり、各重み係数ｍ11〜ｍ13、ｍ21〜ｍ23、ｍ31〜ｍ33は、次のように定義される。
ｍ11＋ｍ21＋ｍ31＝１
ｍ12＋ｍ22＋ｍ32＝０
ｍ13＋ｍ23＋ｍ33＝０
【００６７】
この重み係数については、例えば、
ｍ11＝  ０．２９９０、ｍ21＝  ０．５８７０、ｍ31＝  ０．１１４０
ｍ12＝−０．１６８７、ｍ22＝−０．３３１３、ｍ32＝  ０．５０００
ｍ13＝  ０．５０００、ｍ23＝−０．４１８７、ｍ33＝−０．０８１３
が設定される。
【００６８】
上記の演算子を整理すると、具体的には、ＲＧＢ表色系からＹＣｂＣｒ表色系への変換は下記（１）乃至（３）式で行う。
Ｙ’＝  ０．２９９０Ｒ＋０．５８７０Ｇ＋０．１１４０Ｂ  ・・・（１）
Ｃｂ＝−０．１６８７Ｒ−０．３３１３Ｇ＋０．５０００Ｂ  ・・・（２）
Ｃｒ＝  ０．５０００Ｒ−０．４１８７Ｇ−０．０８１３Ｂ  ・・・（３）
【００６９】
この例で、色差成分Ｃｂ，Ｃｒの変化に比べ、輝度成分Ｙ’の変化は人間に知覚されやすいという特性を利用し、画素値の情報をＹ’：Ｃｂ：Ｃｒ＝４：１：１等の比率で分配するように、画像表示するための画像データに基づいて分配比率を決定する。輝度成分Ｙ’への分配比率を高くするほど、著作権情報を埋め込まれる画像の画質に与える影響は大きくなり、画質を視覚に耐えられない程度にまで劣化させるように制御することができる。一方、輝度成分Ｙ’に分配する比率を下げることによって、画質の劣化を抑えることができる。
【００７０】
このように、モニタ用フェーズ媒体は、ＲＧＢ表色系からＹＣｂＣｒ表色系に変換する式と、画素値情報の輝度成分Ｙ’と色差成分Ｃｂ，Ｃｒとの分配比率を決定する分配比率演算子とから構成される。このモニタ用フェーズ媒体、即ち、この変換式及び分配比率演算子による画素値の演算結果が、モニタ用フェーズ媒体画像となる。
【００７１】
画像の利用形態がプリンタ装置（画像形成装置）Ｅ１３による用紙等の記録媒体上への画像形成、即ちプリントである場合、制御手段Ｂ１１ｃは、画素値をＹＣｂＣｒ表色系に変換するための行列に、画素値をＣＭＹＫ表色系に変換する行列を加算した変換行列によって、上述した分配比率演算子により決定された分配比率で画素値をＣＭＹＫ表色系に変換し、用紙上で画像を可視にする画像形成用フェーズ媒体画像を生成する。
【００７２】
制御手段Ｂ１１ｃは、具体的には、モニタ装置Ｅ１２に表示された画像（映像）をプリントして出力するときには、ＲＧＢ表色系で表された画素値情報を、それらの補色であるシアン成分Ｃ、マゼンタ成分Ｍ及びイエロー成分Ｙｅに変換してＣＭＹ表色系で表された画素値情報を生成する。また、ＣＭＹ表色系での下色除去（Under Color Removal：ＵＣＲ）によってブラック成分Ｋを生成する。
【００７３】
そして、上述したＲＧＢ表色系からＹＣｂＣｒ表色系に変換する式に、ＲＧＢ色空間（表色系）からＣＭＹＫ色空間に変換する式を加えて生成される変換式と、画素値情報の輝度成分Ｙと色差成分Ｃｂ，Ｃｒとの分配比率を決定する分配比率演算子とから構成されるプリント用フェーズ媒体による画素値の演算結果が、画像形成用フェーズ媒体（プリント用フェーズ媒体）画像となる。
【００７４】
制御手段Ｂ１１ｃは、このような演算により生成されたモニタ用フェーズ媒体画像又はプリント用フェーズ媒体画像と著作権情報とを畳み込み操作（処理）することにより分散透かしを生成し、この分散透かしを画像に埋め込む。
【００７５】
フェーズ媒体を変えることによって電子透かしとして埋め込む著作権情報（挿入画像）を可視から不可視まで連続的に変更することができる。従って、制御手段Ｂ１１ｃは、モニタ用フェーズ媒体画像以外のフェーズ媒体画像から生成された分散透かしが埋め込まれた画像をモニタ装置Ｅ１２の画面上で不可視とし、プリント用フェーズ媒体画像以外のフェーズ媒体画像から生成された分散透かしが埋め込まれた画像を用紙上で不可視とするように、分散透かしを生成し、このように生成された分散透かしを画像に埋め込むことができる。
【００７６】
制御手段Ｂ１１ｃは、画像の利用形態に応じた表色系に画素値を変換するために、１つの変換行列（変換式）から派生して系列関係にある複数の変換行列（変換式）により複数のフェーズ媒体画像を生成する。即ち、制御手段Ｂ１１ｃは、画素値をＲＧＢ表色系からＹＣｂＣｒ表色系に変換する行列によりモニタ用フェーズ媒体画像を生成し、この変換行列にＲＧＢ表色系からＣＭＹ表色系に変換する行列を加算処理して生成された変換行列によりプリント用フェーズ媒体画像を生成することができる。
【００７７】
従って、制御手段Ｂ１１ｃは、モニタ装置Ｅ１２及びプリンタ装置Ｅ１３のような複数の出力装置に夫々適した複数のモニタ用画像及びプリント用画像を１つの原画像へ復号生成可能に分散透かしを埋め込んで生成し、この複数の利用形態に応じて復元生成可能な１つの画像を利用者端末Ｅに送出することが可能となる。このため、この分散透かしを埋め込まれた画像をモニタ表示及びプリントするための画像情報を送受信する際の通信量を低下させることができる。
【００７８】
このような分散透かし、即ち、電子透かし情報の埋め込み方法については、特開２００１−１１９５５４号に、「人間の視覚による電子透かし挿入画像δＪ（ｘ，ｙ）の識別を可能にするか否かを透かし挿入強度で制御する方法」が開示されているが、その一例を説明する。まず、埋め込む電子透かし情報Ｉ（ｘ，ｙ）とフェーズ媒体画像Ｆ（ｘ，ｙ）とから、下記式（４）に従って分散透かしＳ（ｘ，ｙ）を生成する。
Ｓ（ｘ，ｙ）＝ Ｉ（ｘ，ｙ）＊ Ｆ（ｘ，ｙ）  ・・・（４）
【００７９】
上記式（４）で、＊は畳み込み操作を表す。分散透かしＳ（ｘ，ｙ）は、同位置の静止画像Ｊ（ｘ，ｙ）の画素値に従って調整されて、下記式（５）のように調整分散透かしδＳ（ｘ，ｙ）が生成される。
δＳ（ｘ，ｙ）＝ ｆ（Ｓ（ｘ，ｙ）， Ｊ（ｘ，ｙ））  ・・・（５）
【００８０】
調整分散透かしδＳ（ｘ，ｙ）は、分散透かしＳ（ｘ，ｙ）と、静止画像Ｊ（ｘ，ｙ）の関数によって定義できる。静止画像の低濃度領域には、埋め込む電子透かし情報を最小限にする。静止画像の低濃度領域に埋め込まれた電子透かし情報は、ノイズとして目立つからである。一方、静止画像の高濃度領域に埋め込まれた電子透かし情報は、目立たない特性がある。静止画像の高濃度領域には、埋め込む電子透かし情報を最大限にする。この処理は、下記式（６）及び（７）のように表すことができる。
δＳ（ｘ，ｙ）＝０，Ｊ（ｘ，ｙ）≦ ｑのとき  ・・・（６）
δＳ（ｘ，ｙ）＝ｐ×Ｓ（ｘ，ｙ），Ｊ（ｘ，ｙ）＞ｑのとき  ・・・（７）
【００８１】
静止画像の低濃度領域、つまりＪ（ｘ，ｙ）が、所定の閾値ｑ以下のとき、調整分散透かしは０にする。Ｊ（ｘ，ｙ）が、所定の閾値ｑ以下の条件を満たさないとき、調整分散透かしは、分散透かしに所定のファクターｐを乗算した値にする。ここで閾値ｑは、印刷物またはモニタ画像から計測した明度から算出される。また、ファクターｐは静止画像に依存して変化して、Ｊ（ｘ，ｙ）が高いほど大きな値となる。
【００８２】
このようにして、静止画像Ｊ（ｘ，ｙ）に調整分散透かしδＳ（ｘ，ｙ）を埋め込んだ電子透かし挿入画像δＪ（ｘ，ｙ）が、下記式（８）のように生成される。
δＪ（ｘ，ｙ）＝ Ｊ（ｘ，ｙ）＋ δＳ（ｘ，ｙ）  ・・・（８）
【００８３】
この電子透かし挿入画像は、送受信手段Ｂ１１ｂにより利用者端末Ｅに送信され、この利用者端末Ｅにより受信される。そして、この利用者端末Ｅによって、受信した画像の利用形態及び著作権者により許諾された範囲に応じて、電子透かしを除去するように画像情報の復号処理が実行される。
【００８４】
従って、本発明に係る情報処理装置の実施例としての販売代理店サーバＢによれば、電子透かしとして埋め込まれる著作権情報を、モニタ表示及びプリント等の画像の利用形態に応じて可視から不可視まで連続的に制御することができるので、この著作権情報が埋め込まれた画像の利用範囲を著作権者による許諾範囲に制限することができる。このため、この画像の利用目的及び利用権限に応じて、この画像の利用範囲を正確に規定することができる。よって、この画像のようなコンテンツの著作権を正確に保護することが可能となる。
【００８５】
また、フェーズ媒体画像の変更によって、複数の出力装置に夫々適した複数の画像を１つの原画像から生成することができるので、フェーズ媒体画像により電子透かしが埋め込まれた画像を復元するための画像情報を送受信するときの通信量を減少させることができる。これは、通信時間の短縮及びネットワークシステムの負荷軽減にも有効である。
【００８６】
次に、本発明に係る情報処理方法の実施例として、上述したコンテンツ送受信システム１００によるコンテンツの送受信例について説明する。図４乃至図７は、コンテンツ送受信システム１００によるコンテンツ送受信例を示すシーケンスチャートであって、図４は、コンテンツの著作権を登録してコンテンツをウェブサイトに掲載するまでのシーケンスを示し、図５は、ウェブサイトに掲載されたコンテンツが利用者に送信されるまでのシーケンスを示し、図６は、ウェブサイトに掲載されたコンテンツが利用者によりプリントされるまでのシーケンスを示し、図７は、ウェブサイトに掲載されたコンテンツを利用者が購入し、この利用者によりプリントされるまでのシーケンスを示す。
【００８７】
この情報処理方法では、販売代理店サーバＢによりオープン市場ネットワークＮ１上で運営されるウェブサイトＢ１１に、利用者端末Ｅによりコンテンツの利用要求が送信され、この利用要求を受信したウェブサイトＢ１１が、提供するコンテンツの著作権を保護するために、制御手段Ｂ１１ｃによりコンテンツに著作権情報を埋め込むための情報処理を実行することを前提とする。
【００８８】
これを前提として、図４に示すシーケンスチャートのステップＳ１で、著作権者は、その著作権者サーバＡを通信網に接続し、販売代理店サーバＢにコンテンツを供給する契約を結ぶ。この契約は、コンテンツの著作権に関する部分と、コンテンツの売買に関する部分に大きく分けられる。
【００８９】
著作権に関する部分の契約には、著作権の有効期間、著作権の保護範囲、著作権の所有範囲、著作権者のアドレス等のコンテンツ著作権情報が必要である。売買に関する部分の契約には、一次的所有権の対価、二次的所有権の対価、コンテンツデータ総量、コンテンツ製作条件、コンテンツ固有番号等のコンテンツ売買情報が必要である。
【００９０】
著作権の有効期間とは、コンテンツが著作物としての効力を保有する期間である。著作権の保護範囲とは、著作物としての効力がおよぶコンテンツの範囲であって、コンテンツの全体である場合もあるが、コンテンツの一部である場合もある。著作権の所有範囲とは、著作権の所有を主張する対象であって、個人または少人数の個人集団または団体とする場合がある。著作権者のアドレスとは、住所、電子メールのアドレス、ＵＲＬおよびＴＣＰ／ＩＰアドレス等である。
【００９１】
一次的所有権の対価とは、コンテンツが送信されるときの対価である。二次的所有権の対価とは、コンテンツが送信先でプリントされるときの対価である。コンテンツデータ総量とは、コンテンツの全体のデータ量である。コンテンツ製作条件とは、コンテンツを製作したときの各種の条件であって、共同製作者、協賛者、出資者等の人的条件および物理的な製作環境条件である。コンテンツ固有番号とはコンテンツを識別する固有名詞であるが必須ではない。
【００９２】
コンテンツ著作権情報およびコンテンツ売買情報は登録著作物情報として、契約の成立いかんにかかわらず著作権者と販売代理店の間の機密事項とされる。登録著作物情報は、ネットワークを介したオンラインで送受信でき、また、ＣＤ（コンパクトディスク）及びフロッピー（Ｒ）ディスク（ＦＤ）のような記憶媒体に記憶して郵便等のオフラインでやりとりすることもできる。
【００９３】
著作権者は、コンテンツ別に異なる販売代理店と契約できる。著作権者はそれぞれの販売代理店が指定する登録著作物情報をコンテンツ別に準備して、販売代理店と契約する。著作権者は、複数のコンテンツを一括して特定の販売代理店と契約できる。著作権者は、同じコンテンツを複数の販売代理店と同時期に契約できる。
【００９４】
例えば図１に示したように、著作権者サーバＡ１と著作権者サーバＡ５とは、夫々１つの販売代理店サーバＢ１又は販売代理店サーバＡ５と接続されているが、これは各著作権者が、１つのコンテンツを特定の販売代理店と契約したか、または複数のコンテンツを一括して特定の販売代理店と契約したことを示している。
【００９５】
著作権者サーバＡ２、著作権者サーバＡ３および著作権者サーバＡ４は、夫々複数の販売代理店サーバＢ１，Ｂ２，Ｂ３と接続されているが、これは各著作権者が、コンテンツ別に異なる販売代理店と契約したか、または同じコンテンツを複数の販売代理店と契約したことを示している。
【００９６】
次のステップＳ２で、販売代理店サーバＢは、著作権者サーバＡに対して、登録著作物情報から算出した登録料を提示する。この登録料には、コンテンツの著作権を保有するための費用、コンテンツをウェブサイトに掲載するための費用、コンテンツの送信先から対価を徴収するための費用、送信先でコンテンツがプリントされるときの対価を徴収するための費用等が含まれる。
【００９７】
著作権の有効期間、著作権の保護範囲、著作権の所有範囲等からコンテンツの著作権を保有するための費用を算出する。コンテンツデータ総量、掲載期間等からコンテンツをウェブサイトに掲載するための費用を算出する。一次的所有権の対価からコンテンツの送信先から対価を徴収するための費用を算出する。二次的所有権の対価から送信先でコンテンツがプリントされるときの対価を徴収するための費用を算出する。
【００９８】
概ね、著作権の有効期間は長いほど、著作権の保護範囲は広いほど、所有範囲は多いほど算出されるコンテンツの著作権を保有するための費用は高額になる。コンテンツデータ総量は多いほど、掲載期間は長いほどコンテンツをウェブサイトに掲載するための費用は高額になる。コンテンツの著作権を保有するための費用およびコンテンツをウェブサイトに掲載するための費用は画一ではない。経済情勢、コンテンツの絶対価値、販売代理店等によって変わる。
【００９９】
コンテンツの送信先から対価を徴収するための費用および送信先でコンテンツがプリントされるときの対価を徴収するための費用は一次的所有権の対価と二次的所有権の対価とを参考にするが画一ではない。ウェブサイトに掲載後のコンテンツの市場価値、送信およびプリントの需要量等によって変わる。
【０１００】
次のステップＳ３で、著作権者は、販売代理店が提示したコンテンツの登録料を承諾する。著作権者は、販売代理店に契約内容の承諾を示し、登録するコンテンツを送る。契約内容の承諾を示す通知とコンテンツは、著作権者サーバＡと販売代理店サーバＢとの間のネットワークを介したオンラインで送受信でき、また、上述したような記憶媒体に記憶して郵便等のオフラインでやりとりすることもできる。なお、著作権者と販売代理店の間のネットワークは特別なことはなく、インターネット等の公開のネットワークに接続されていれば十分である。
【０１０１】
次のステップＳ４で、販売代理店は、著作権者との契約内容について市場管理局に報告する。販売代理店は市場管理局に、コンテンツ著作権情報およびコンテンツ売買情報の登録著作物情報を開示する。販売代理店サーバＢから市場管理局サーバＣへの登録著作物情報の送信はオープン市場ネットワークＮ１を介したオンラインでできる。販売代理店が市場管理局に報告する登録著作物情報は販売代理店と市場管理局の間の機密事項とされる。これによって、販売代理店サーバＢの記憶手段Ｂ１１ａには、コンテンツ（画像）と、このコンテンツに関する著作権情報である登録著作物情報が記憶され、著作権情報が準備される。
【０１０２】
次のステップＳ５で、市場管理局は、販売代理店から報告された登録著作物情報を審査して、適正と認めたとき、販売代理店にコンテンツの著作物としての登録を承認する。市場管理局は、登録を承認した著作物に対してフェーズ媒体を発行する。市場管理局は、その市場管理局サーバＣから販売代理店サーバＢに、フェーズ媒体画像を送信する。
【０１０３】
フェーズ媒体を静止画像に適用するとフェーズ媒体画像を生成する。フェーズ媒体画像は、上述したように、有限領域内の媒体相に含まれる画素の画素値を無作為に分配したフィルタである。
【０１０４】
次のステップＳ６で、販売代理店サーバＢは、コンテンツに著作権情報を電子透かし情報として埋め込み、電子透かし情報を埋め込んだコンテンツである電子透かし挿入画像とコンテンツの登録著作物情報とをデータベース管理法人により運営されるデータベース管理サーバＤに送信する。
【０１０５】
電子透かし情報には、コンテンツ固有番号、著作権者のアドレス、データベース管理法人のアドレス、販売代理店のアドレス等が含まれる。各アドレスとは、住所、電子メールのアドレス、ＵＲＬおよびＴＣＰ／ＩＰアドレス等である。この電子透かし情報を、上述したようにコンテンツに埋め込む。
【０１０６】
これによって、データベース管理法人により運営されるデータベース管理サーバＤは、常備する記憶媒体Ｍに電子透かし挿入画像と登録著作物情報とを格納する。データベース管理法人は、保存データの機密性を保ちデータを種類別に分類して効果的に管理する。
【０１０７】
データベース管理法人は、コンテンツ固有番号からの登録著作物情報、著作権の有効期間、著作権の保護範囲、著作権の所有範囲、著作権者のアドレス等のコンテンツ著作権情報および一次的所有権の対価、二次的所有権の対価、コンテンツデータ総量、コンテンツ製作条件等のコンテンツ売買情報の検索を可能にする。
【０１０８】
また、販売代理店サーバＢは、電子透かし挿入画像をウェブサイトに掲載する。販売代理店サーバＢは、契約を遵守した所定のウェブサイトに電子透かし挿入画像を掲載する。
【０１０９】
コンテンツはウェブサイトに掲載されたことによって不特定多数の人間によるアクセスが可能になる。コンテンツは電子透かし情報が埋め込まれたことによって著作物としての権利が保護される。
【０１１０】
ここで図５に示すシーケンスチャートに移行して、ステップＳ９で、利用者は、販売代理店に会員としての登録を申請する。申請には利用者のアドレスが必要である。アドレスとは、住所、電子メールのアドレス、ＵＲＬおよびＴＣＰ／ＩＰアドレス等である。申請の通知は、利用者端末Ｅと販売代理店サーバＢとの間のネットワークを介したオンラインで送受信でき、また、任意の記憶媒体に記憶して郵便等のオフラインでやりとりすることもできる。利用者端末Ｅと販売代理店サーバＢとの間のネットワークは特別なことはなく、インターネット等の公開のネットワークに接続されていれば十分である。利用者端末Ｅは、予めインストールされたウェブブラウザを介して販売代理店サーバＢにより運営されるウェブサイトにアクセスして会員としての登録を申請する。
【０１１１】
次のステップＳ１０で、販売代理店は、利用者からの申請を審査して、適正と認めたとき、利用者にオープン市場ネットワークＮ１の正式な会員としての登録を承認する。そして、登録著作物情報（著作権情報）が準備され、記憶手段Ｂ１１ａに記憶された画像等のコンテンツに対する利用要求を待つ。
【０１１２】
オープン市場ネットワークＮ１へのアクセスは正式な会員に限るものではない。オープン市場ネットワークＮ１には不特定多数の人間がアクセスできる。販売代理店によってはコンテンツの販売を登録した正式な会員に限ることがある。
【０１１３】
次のステップＳ１１で、利用者は、利用者端末Ｅによって、販売代理店サーバＢのウェブサイトで掲載されているコンテンツの送信を販売代理店に要求する。利用者端末Ｅは、ウェブブラウザから販売代理店サーバＢによるウェブサイトにアクセスして所望する画像を検索する。利用者端末Ｅは、ウェブブラウザにより検索した画像をモニタ装置Ｅ１２の画面に表示させながら所望する画像を検索する。利用者端末Ｅは、選択した画像コンテンツの送信要求（利用要求）を販売代理店サーバＢに送信する。
【０１１４】
次のステップＳ１２で、販売代理店サーバＢは、利用者端末Ｅにコンテンツを配信（送信）するときの対価を提示する。販売代理店は、その販売代理店サーバＢによって、コンテンツが送信されるときの対価である一次的所有権の対価を利用者に提示する。一次的所有権の対価は、コンテンツのウェブサイトでの掲載当初とは異なる場合がある。経済情勢、ウェブサイトに掲載後のコンテンツの市場価値、送信およびプリントの需要量等によって変わる。
【０１１５】
次のステップＳ１３で、利用者は、その利用者端末Ｅを介して、販売代理店が提示したコンテンツを配送するときの対価を承諾する。利用者は、その利用者端末Ｅによって、一次的所有権の対価を承諾することを販売代理店サーバＢに通知する。
【０１１６】
次のステップＳ１４で、販売代理店サーバＢは、電子透かし挿入画像が格納されているデータベース管理サーバＤのアドレスと、モニタ用フェーズ媒体と、電子透かし挿入画像にフェーズ媒体を挿入するためのフェーズ媒体挿入プログラムとを利用者端末Ｅに送信する。
【０１１７】
販売代理店サーバＢは、利用者が所望するコンテンツの格納されているデータベース管理法人のアドレスを検索する。販売代理店サーバＢは、利用者が所望するコンテンツに対応するモニタ用フェーズ媒体を記憶媒体Ｍで検索する。販売代理店サーバＢは、フェーズ媒体を電子透かし挿入画像に挿入するためのプログラムであるフェーズ媒体挿入プログラムを、データベース管理法人のアドレス及びモニタ用フェーズ媒体とともに利用者端末Ｅに送信する。
【０１１８】
次のステップＳ１５で、販売代理店サーバＢは、電子透かし挿入画像が格納されているデータベース管理サーバＤに、電子透かし挿入画像の一次的所有権の所有者を登録する。また、販売代理店サーバＢは、一次的所有権を利用する契約を結んだ利用者を、電子透かし挿入画像の一次的所有権の所有者として登録する。
【０１１９】
次のステップＳ１６で、利用者は、その利用者端末Ｅによって、データベース管理法人に所望する電子透かし挿入画像を要求する。利用者端末Ｅは、販売代理店サーバＢから指定されたアドレスを用いて、データベース管理法人に対して、購入した電子透かし挿入画像を要求する。
【０１２０】
次のステップＳ１７で、データベース管理サーバＤは、利用者端末Ｅに電子透かし挿入画像を送信する。データベース管理法人は、要求された電子透かし挿入画像の登録されている一次的所有権の所有者を審査して、適正と認めたとき、そのデータベース管理サーバＤから利用者端末Ｅに、記憶手段Ｍに格納している電子透かし挿入画像を送信する。
【０１２１】
これにより利用者端末Ｅは、所望するコンテンツを再現させることができるようになる。利用者端末Ｅは、フェーズ媒体挿入プログラムを用いて、電子透かし挿入画像にモニタ用フェーズ媒体を挿入する。利用者端末Ｅは、販売代理店から提供されたフェーズ媒体挿入プログラムを用いてモニタ用フェーズ媒体を、データベース管理サーバＤから受信した電子透かし挿入画像に挿入することによって、モニタ装置Ｅ１２の画面上に可視的なコンテンツを再現させることができる。
【０１２２】
利用者端末Ｅが、所望するコンテンツをモニタ装置Ｅ１２の画面上に再現させる手順について、ここで具体的に説明する。利用者端末Ｅは、所望するコンテンツの電子透かし挿入画像とモニタ用フェーズ媒体とフェーズ媒体挿入プログラムとをインストールされて格納していることが前提となる。
【０１２３】
利用者端末Ｅは、予めインストールされたフェーズ媒体挿入プログラムを起動する。このプログラムは、表示する対象の画像や出力装置等に関する質問事項を画面上に表示するので、利用者は、このフェーズ媒体挿入プログラムの指示に従って、電子透かし挿入画像やモニタ用フェーズ媒体を利用するために必要なデータを入力する。
【０１２４】
フェーズ媒体挿入プログラムは、入力されたデータを検査して、適正と認められたとき、モニタ装置Ｅ１２の画面上に可視的な電子透かし挿入画像を再現する。一方、不適切な入力データを検出したときは、モニタ装置Ｅ１２の画面上には不可視的な画像を表示し、正常に画像を再現できないことを利用者に知らせる。
【０１２５】
次に、利用者が、所望するコンテンツをプリント物として出力させる手順について説明する。利用者端末Ｅは、所望するコンテンツの電子透かし挿入画像とプリント用フェーズ媒体とフェーズ媒体挿入プログラムとを予めインストールされて格納していることが前提となる。
【０１２６】
利用者は、その利用者端末Ｅによりフェーズ媒体挿入プログラムを起動する。このプログラムは、表示する対象の画像や出力装置等についての質問事項をモニタ装置Ｅ１２の画面上に表示する。利用者は、フェーズ媒体挿入プログラムの指示に従って、電子透かし挿入画像やプリント用フェーズ媒体の利用に必要なデータを入力する。
【０１２７】
フェーズ媒体挿入プログラムは、入力されたデータを検査して、適正と認められたとき、プリンタ装置Ｅ１３から可視的な電子透かし挿入画像のプリント物を出力する。一方、不適切な入力データを検出したときは、プリンタ装置Ｅ１３からは不可視的なプリント画像が出力され、正常な画像を再現できないことが、モニタ装置Ｅ１２の画面表示により利用者に知らせる。このようにして、利用者端末Ｅは、モニタ装置Ｅ１２の画面上又はプリンタ装置Ｅ１３によるプリント物として用紙上に、所望するコンテンツを再現することができる。
【０１２８】
ここで図６に示すシーケンスチャートに移行して、ステップＳ１９で、利用者端末Ｅは、販売代理店のウェブサイトで掲載されているコンテンツのプリントを販売代理店サーバＢに要求する。利用者端末Ｅは、ウェブブラウザにより販売代理店のウェブサイトにアクセスして所望する画像を検索する。利用者端末Ｅは、検索した画像をウェブブラウザにより画面上に表示させながら所望する画像を検索する。利用者端末Ｅは、選択した画像コンテンツのプリント要求を販売代理店サーバＢに送信する。
【０１２９】
次のステップＳ２０で、販売代理店は、利用者にコンテンツがプリントされるときの対価を提示する。販売代理店は、コンテンツがプリントされるときの対価である二次的所有権の対価を利用者に提示する。二次的所有権の対価は、コンテンツのウェブサイトでの掲載当初とは異なる場合がある。経済情勢、ウェブサイトに掲載後のコンテンツの市場価値、送信およびプリントの需要量等によって変わる。
【０１３０】
次のステップＳ２１で、利用者は、販売代理店が提示したコンテンツをプリントするときの対価を承諾する。利用者は、二次的所有権の対価を承認することを、その利用者端末Ｅを介して販売代理店サーバＢに通知する。
【０１３１】
次のステップＳ２２で、販売代理店サーバＢは、電子透かし挿入画像が格納されているデータベース管理法人のアドレスとプリント用フェーズ媒体と電子透かし挿入画像にフェーズ媒体を挿入するためのフェーズ媒体挿入プログラムとを利用者端末Ｅに送信する。
【０１３２】
販売代理店サーバＢは、利用者が所望するコンテンツが格納されているデータベース管理法人のアドレスを、ネットワーク上で検索する。販売代理店サーバＢは、利用者が所望するコンテンツに対応するプリント用フェーズ媒体を検索する。販売代理店サーバＢは、フェーズ媒体を電子透かし挿入画像に挿入するためのプログラムであるフェーズ媒体挿入プログラムを、データベース管理法人のアドレス、プリント用フェーズ媒体とともに利用者端末Ｅに送信する。
【０１３３】
次のステップＳ２３で、販売代理店は、電子透かし挿入画像が格納されているデータベース管理法人に電子透かし挿入画像の二次的所有権の所有者を登録する。販売代理店は、二次的所有権を利用する契約を結んだ利用者を、電子透かし挿入画像の二次的所有権の所有者として登録する。
【０１３４】
次のステップＳ２４で、利用者は、その利用者端末Ｅによって、データベース管理法人に所望する電子透かし挿入画像を要求する。利用者は、販売代理店から指定されたアドレスからデータベース管理法人に対して、購入した電子透かし挿入画像を要求する。
【０１３５】
次のステップＳ２５で、データベース管理法人は、そのデータベース管理サーバＤから利用者端末Ｅに、電子透かし挿入画像を送信する。データベース管理法人は、要求された電子透かし挿入画像の登録されている二次的所有権の所有者を審査して、適正と認めたとき、その記憶手段Ｍに格納している電子透かし挿入画像を利用者端末Ｅに送信する。
【０１３６】
利用者端末Ｅは、この電子透かし挿入画像を受信し、所望するコンテンツをプリンタ装置Ｅ１３によりプリントする。利用者端末Ｅは、フェーズ媒体挿入プログラムを用いて、電子透かし挿入画像にプリント用フェーズ媒体を挿入する。また、利用者端末Ｅは、販売代理店サーバＢから提供されたフェーズ媒体挿入プログラムを用いて、データベース管理法人から受信した電子透かし挿入画像にプリント用フェーズ媒体を挿入することによって、プリント物で可視的なコンテンツを再現させることができる。
【０１３７】
次に、オープン市場ネットワークＮ１上で、ウェブサイトに掲載されたコンテンツを利用者が購入し、利用者端末Ｅによってプリントされるまでを説明する。モニタ上で再現させることを所望するコンテンツとプリント物として再現させることを所望するコンテンツとが同一の場合、電子透かし挿入画像とフェーズ媒体を電子透かし挿入画像に挿入するためのプログラムとは同一である。異なるのはフェーズ媒体である。
【０１３８】
利用者端末Ｅは、所望するコンテンツをモニタ上で再現させるときはモニタ用フェーズ媒体を、プリント物として再現させるときはプリント用フェーズ媒体を、フェーズ媒体挿入プログラムを用いて電子透かし挿入画像に挿入する。
【０１３９】
ここで図７に示すシーケンスチャートに移行して、ステップＳ２７で、利用者端末Ｅは、販売代理店サーバＢによるウェブサイトで掲載されているコンテンツの送信を販売代理店に要求する。利用者端末Ｅは、ウェブブラウザを用いて販売代理店サーバＢによるウェブサイトにアクセスして所望する画像を検索する。利用者端末Ｅは、ウェブブラウザにより検索した画像をモニタ装置Ｅ１２の画面上に表示させながら所望する画像を検索する。利用者端末Ｅは、選択した画像コンテンツの送信要求を販売代理店サーバＢに送信する。
【０１４０】
次のステップＳ２８で、販売代理店は、利用者にコンテンツを配送するときの対価を提示する。販売代理店は、コンテンツが送信されるときの対価である一次的所有権の対価を利用者に提示する。一次的所有権の対価は、コンテンツのウェブサイトでの掲載当初とは異なる場合がある。経済情勢、ウェブサイトに掲載後のコンテンツの市場価値、送信およびプリントの需要量等によって変わる。
【０１４１】
次のステップＳ２９で、利用者は、販売代理店が提示したコンテンツを配送するときの対価を承諾する。利用者は、一次的所有権の対価を承諾することを販売代理店に通知する。
【０１４２】
次のステップＳ３０で、販売代理店サーバＢは、電子透かし挿入画像が格納されているデータベース管理法人のアドレスとモニタ用フェーズ媒体と電子透かし挿入画像にフェーズ媒体を挿入するためのフェーズ媒体挿入プログラムとを利用者端末Ｅに送信する。
【０１４３】
また、販売代理店サーバＢは、利用者が所望するコンテンツが格納されているデータベース管理法人のアドレスを検索する。販売代理店サーバＢは、利用者が所望するコンテンツに対応するモニタ用フェーズ媒体を検索する。販売代理店サーバＢは、フェーズ媒体を電子透かし挿入画像に挿入するためのプログラムであるフェーズ媒体挿入プログラムを、データベース管理法人のアドレス、モニタ用フェーズ媒体とともに利用者端末Ｅに送信する。
【０１４４】
次のステップＳ３１で、販売代理店は、電子透かし挿入画像が格納されているデータベース管理法人に電子透かし挿入画像の一次的所有権の所有者を登録する。販売代理店は、一次的所有権を利用する契約を結んだ利用者を、電子透かし挿入画像の一次的所有権の所有者として登録する。
【０１４５】
次のステップＳ３２で、利用者は、データベース管理法人に所望する電子透かし挿入画像を要求する。利用者は、販売代理店から指定されたアドレスからデータベース管理法人に対して、購入した電子透かし挿入画像を要求する。
【０１４６】
次のステップＳ３３で、データベース管理法人は、そのデータベース管理サーバＤから利用者端末Ｅに、電子透かし挿入画像を送信する。データベース管理法人は、要求された電子透かし挿入画像の登録されている一次的所有権の所有者を審査して、適正と認めたとき、その記憶手段Ｍに格納している電子透かし挿入画像を利用者端末Ｅに送信する。
【０１４７】
これにより利用者は、その利用者端末Ｅによって、所望するコンテンツを再現させることができるようになる。利用者端末Ｅは、フェーズ媒体挿入プログラムを用いて、電子透かし挿入画像にモニタ用フェーズ媒体を挿入する。利用者端末Ｅは、販売代理店から提供されたフェーズ媒体挿入プログラムを用いてモニタ用フェーズ媒体を、データベース管理法人から受信した電子透かし挿入画像に挿入することによって、モニタ装置Ｅ１２の画面上に可視的なコンテンツを再現させることができる。
【０１４８】
次のステップＳ３４で、利用者は、販売代理店サーバＢによるウェブサイトに掲載されているコンテンツのプリントを販売代理店に要求する。利用者は、その利用者端末Ｅのウェブブラウザにより販売代理店サーバＢのウェブサイトにアクセスして所望する画像を検索する。利用者端末Ｅは、ウェブブラウザにより検索した画像をモニタ装置Ｅ１２の画面上に表示させながら所望する画像を検索する。利用者端末Ｅは、選択した画像コンテンツのプリント要求を販売代理店サーバＢに送信する。
【０１４９】
次のステップＳ３５で、販売代理店は、利用者にコンテンツがプリントされるときの対価を提示する。販売代理店は、利用者がすでにコンテンツの一次的所有権を取得していることを考慮して、コンテンツがプリントされるときの対価である二次的所有権の対価を利用者に提示する。二次的所有権の対価は、コンテンツのウェブサイトでの掲載当初とは異なる場合がある。経済情勢、ウェブサイトに掲載後のコンテンツの市場価値、送信およびプリントの需要量等によって変わる。
【０１５０】
次のステップＳ３６で、利用者は、販売代理店が提示したコンテンツをプリントするときの対価を承諾する。利用者は、二次的所有権の対価を承諾することを販売代理店に通知する。
【０１５１】
次のステップＳ３７で、販売代理店サーバＢは、プリント用フェーズ媒体を利用者端末Ｅに送信する。販売代理店サーバＢは、利用者が所望するコンテンツに対応するプリント用フェーズ媒体を検索する。販売代理店サーバＢは、プリント用フェーズ媒体を利用者端末Ｅに送信する。
【０１５２】
これにより利用者は、その利用者端末Ｅによって、所望するコンテンツをプリントすることができるようになる。利用者端末Ｅは、フェーズ媒体挿入プログラムを用いて、電子透かし挿入画像にプリント用フェーズ媒体を挿入する。利用者端末Ｅは、販売代理店から提供されたフェーズ媒体挿入プログラムを用いて、プリント用フェーズ媒体を指定された電子透かし挿入画像に挿入することによって、プリント物で可視的なコンテンツを再現させることができる。
【０１５３】
このように、本発明の実施例としてのコンテンツ送受信方法によれば、モニタ上に可視的なコンテンツを再現させるためにはモニタ用フェーズ媒体を、プリント物で可視的なコンテンツを再現させるためにはプリント用フェーズ媒体を電子透かし挿入画像に挿入しなければならない。
【０１５４】
モニタ用フェーズ媒体とプリント用フェーズ媒体は唯一のものであり他で代用することはできない。電子透かし挿入画像は同一であるが、利用目的に応じたフェーズ媒体が必要である。フェーズ媒体だけで、電子透かし挿入画像の利用範囲を制限することができる。つまり、本発明によると、複雑な著作権を正確にかつ高度に保護するための方法、装置、プログラムおよびプログラムを記憶した記憶媒体を提供する。
【０１５５】
また、上述したように、フェーズ媒体は、公的機関かまたは特定の組織団体が運営する非営利団体である市場管理局が発行する。販売代理店は、市場管理局が発行したフェーズ媒体を元に、利用目的に応じたフェーズ媒体を派生させる。フェーズ媒体は電子商取引で売買されるすべてのコンテンツに挿入される。
【０１５６】
従って、本発明に係る情報処理方法、その方法をコンピュータに実行させるためのプログラム及びそのプログラムを記録したコンピュータ読取可能な記録媒体を電子商取引等に適用することによって、著作権情報が電子透かしとして埋め込まれた画像等のコンテンツを、その利用範囲を著作権者による許諾範囲に制限してネットワーク上で提供することができるので、コンテンツの複雑な著作権を正確にかつ高度に保護することが可能となるから、より安全な電子商取引システムを提供することができるようになる。
【０１５７】
なお、本発明は、静止画像を処理する場合にのみ採用されると限られるものではない。本発明は、静止画像のみならず、動画像、音楽、音声、情報データ、プログラム等の様々なデジタル化された信号に基づくコンテンツを処理する場合にも採用され得る。
【産業上の利用可能性】
【０１５８】
本発明は、複雑な著作権を正確かつ高度に保護する電子商取引システムに適用して極めて好適である。
【図面の簡単な説明】
【０１５９】
【図１】本実施例としてのコンテンツ送受信システム１００の構成例を示す略式概念図である。
【図２】本発明に係る情報処理装置の実施例としての販売代理店サーバの構成例を示す略式概念図である。
【図３】本実施例としての利用者端末の構成例を示す略式概念図である。
【図４】本発明に係る情報処理方法の実施例としてのコンテンツ送受信例を示すシーケンスチャート（その１）である。
【図５】本発明に係る情報処理方法の実施例としてのコンテンツ送受信例を示すシーケンスチャート（その２）である。
【図６】本発明に係る情報処理方法の実施例としてのコンテンツ送受信例を示すシーケンスチャート（その３）である。
【図７】本発明に係る情報処理方法の実施例としてのコンテンツ送受信例を示すシーケンスチャート（その４）である。
【符号の説明】
【０１６０】
１００  コンテンツ送受信システム
Ａ  著作権者
Ｂ  販売代理店サーバ
Ｃ  市場管理局
Ｄ  データベース管理法人サーバ
Ｅ  利用者端末
Ｍ  記憶媒体
Ｎ  ネットワーク
【図１】
2005210194.tif 000004
【図２】
2005210194.tif 000005
【図３】
2005210194.tif 000006
【図４】
2005210194.tif 000007
【図５】
2005210194.tif 000008
【図６】
2005210194.tif 000009
【図７】
2005210194.tif 000010